(57)【要約】        【課題】包装対象の比重の大小を問わず緩衝機能をもつ宙づり包装で、包装品をいつでも外部から点検なし得る簡素な構造の包装具。        【解決手段】  紙板材製で両サイドに枠梁を形成しその上方に凹をなす「コ」の字の腹に中窓を設けその長手方向に梯形をなす透明なポリウレタンフイルムを二つ折りにしてその両端を接着せしめてなすポッケットに装入した包装品を包み込み展張せしめ宙づりに長手方向両端を台脚とした緩衝クリア包装枠全体を、鞘殻をなす外箱内に挿し込んで構成する包装。        【選択図】図３
0003103829.tif 000002
【実用新案登録請求の範囲】
【請求項１】
中窓２２を有する中板２１の両長手方向に折り曲げてＬ字形をなす下腰板２４と下脚板２６を形成でき、中板２１の反長手方向に直角に折りたてて枠梁をなす上腰板２８を有する紙板材からなるものの長手方向に見合った横幅の梯形ポリウレタンフィルムを二つ折りにしてその両端を接着テープ３８で接合したものを、Ｃ形軽量形綱の背を直角に回してなすような形とし、その中央に生成されたポリウレタンフィルム折り畳みポケット内に被包装物４を収納し、窓穴付き不透明材または透明材からなる箱や鞘や殻状の容器入れることを前提とした緩衝クリア包装枠。
【請求項２】
請求項１に述べた窓穴付きまたは透明材からなる箱や鞘や殻状の容器入れることを前提とした折り畳みポケット生成方式の緩衝クリア包装枠において、方形枠板の中央に設けた被包装品より一回り大きな形状を問わない中窓の内側に折り目を有する当板を複数設けて緩衝ダンパーとし、また、方形枠板短方向両側に折り目を介した立板の両翼を方形枠板の長手方向両側に伸ばし中窓側に折り曲げる事で被包装品損傷外力への耐性補強を計った事を特徴とする緩衝クリア包装枠。
【考案の詳細な説明】
【技術分野】
【０００１】
本考案は、生産工場等で包装したものが外部から製品を随時確認できる形で行える耐衝撃性に富む簡素な構成の緩衝クリア包装具に関するものである。
【背景技術】
【０００２】
商品の包装形態はいろいろではあるが、生産現場で個別に包装したものを纏めて地区別になった集配工場で振り分けられて販売先へと搬送されるが、荷として集配倉庫や積み卸し先で毎回商品の確認が成される。このため、配送分別しやすさと商品魅力広報の面からなど、運配送・仕分け・開梱・展示・販売などの何時でも商品の損傷が点検できる荷姿が望まれている。
【０００３】
また、店頭でも、愛玩品や装身具あるいは小物電子機器からお菓子まで、完全に透明なプラスチックフィルム材の角箱や円筒に納めて販売されている商品も多いが、それらだけには限られず、陳列に依って商品自体の魅力によるアイキャッチ機能を生かす要望の物品も、ＡＶ商品から玩具までと多い。しかし現況の大半が商品の形態に合わせた専用成形透明プラスチックフイルム製ケースであって、多彩な商品を被搬送物として扱える低廉で汎用的で有りながら被搬送品を外部から商品として見える包装具は珍しい。
【０００４】
本考案の意図するものの仕組みの先例は見あたらなかったが、下記４例は「外部から被包装品を見える」目的への言及皆無であり、かつ、まだ複雑であるものの、上記目標達成に使える宙づり包装の典型的な工夫の歩みを物語るものに見える。
【特許文献１】登録実用３０６３３８３号公報        発明の名称  製品梱包用緩衝材フイルム及びその製法
【特許文献２】登録実用３０７６３５５号公報        発明の名称  緩衝用ポリウレタンフィルム溶着面を有する製品梱包支持体
【特許文献３】登録実用３０９６５９２号公報        発明の名称  折り畳み通函用緩衝包容梱包要素
【特許文献４】意匠登録１１９８２２７号公報        発明の名称  コンテナ組み込み用緩衝保持具
【０００５】
特許文献１は、図３に示した相対向するポリウレタンフィルムを貼った支持枠で搬送品を挿む、通称、宙づり包装方式において、支持枠へのポリウレタンフィルムを貼付けは接着によるよりも熱溶圧着に依る方が強固であることを示そうとしている。
【０００６】
特許文献２は、図６に示した相対向するポリウレタンフィルムを貼った支持枠で搬送品を挿む宙づり包装方式において、実用化のためにフィルムを熱溶圧着した支持枠補強への努力を示しているが、これは、宙づり包装方式の普及が進展している背景が有ることを暗に語っている。
【０００７】
特許文献３は、在来の１組の相対向するポリウレタンフィルムを貼った支持枠で搬送品を挿んでいた宙づり包装方式において、支持枠へのポリウレタンフィルを貼付けは全周を接合する必要もなく、１枚のポリウレタンフィルムのみでも宙づり方法が可能であることを示した画期的な考案であり、さらに、支持の調節による汎用性を提示し、通函の使用目的である再使用能力をも示し、支持枠がないため熱溶圧着も不要であることをも示している。
【０００８】
特許文献４は、物品の説明項と参照図に明示されている例から、僅か２本の指示棒に装着した１枚のポリウレタンフィルムのみでも特許文献３に図解されたような通函を用いれば宙づり包装方法が可能であることを示している。
【０００９】
本考案は、特許文献３と４に示された考え方をさらに進め、１枚のポリウレタンフィルムでも可能な宙づり包装の簡素な機構での達成を、特許文献３に示されたのより簡素な他方法でもって、汎用性と共に［０００２］項記述の包装後も外から被包装品が見えることを目指した。このため兼備したい機能は３種類である。
【考案の開示】
【考案が解決しようとする課題】
【００１０】
この包装具ゆえ基本的に必要な機能の１は耐衝撃能力であり、電子機器組立部品や製品のような高密度で耐衝撃の低い物品の流通搬送に十分耐える緩衝であり、また、軽くて嵩の大きい低密度品でありながら軟質または脆弱なの突起の多いプラスチックや布製製人形までの包装に使えることを意図している。
【００１１】
この包装具の基本的機能の２は簡単な機構と言うよりは簡素な構成すなわち可能な限り少ない部品点数で構成することである。
【００１２】
この包装具の副次的機能は、包装後も外から被包装品が見えることである。
【課題を解決するための手段】
【００１３】
上述［００１０］の高耐衝撃力要求は同じ大きさの被包装材と包装箱のケースで適用とシビァな事例であっても、高振動吸収力の厚目なポリウレタンフイルムであれば問題なく被包装物をしっかり吊りその位置を維持しやすい宙づり包装なら対応できる。これを柔軟包装品に対応させるには宙づりの張りであるテンションを弱めるかあるいはポリウレタンフイルムを薄いものに替えることで済む。もちろん、抗張力と膜厚が適正であればポリオレフィンフィルムであっても問題はない。どちらでも、宙づり包装形態なら十分対応できると経験的に言える。
【００１４】
上述［００１０］の高耐衝撃力要求は包装箱の強さにも影響するが、これは包装具構成材や函材の強度の問題なので、本考案の構成に影響しないので、此処では無視する。
【００１５】
上述［００１１］の求めるものは構成部品を減少させ、かつ、形状の簡素化を図ることにある。このため、在来の常識的な宙づり包装達成条件である「１組の相対向するポリウレタンフィルムを貼った支持枠で搬送品を挿む」ために支持枠は２ヶ１組を必要としていたのを、１枚のポリウレタンフィルムでも可能とし、特許文献３に示されたのと異なり、紙板材支持枠１ヶのみで可能とならしめた。このため、形状がやや複雑化したとはいえ、支持枠に使用する紙板材の面積は在来の半分に近いので、消耗材料の面では大幅に減らせる。
【００１６】
本考案では、耐振動のために搬送品を弾性に富み可撓性の豊かなポリウレタンフイルムを二つ折りにしてその両端を中板左右の下腰板を外折りすることで袋状と成し、このフイルムを被包装材を挿入できる透明なポケットとして機能させることで、支持枠に宙づりにすることができる。このフイルムの二つ折りが、［００１０］と［００１１］の条件を充足させると言える。これは、筒状フイルムを切断し底を熱圧着するとかで袋状に成形したフィルム材を事前に準備する必要を無くする、製造工程の簡素化でもある。
【００１７】
上述［００１２］の要求は、こうしてなる被包装品を包んだ緩衝クリア包装枠を、透明な外箱または内部の見える窓穴付きの箱に収めるだけで済む。［００１６］に記述したように、ポリウレタンフイルムが被包装材を納めた透明なポケットとして働くから、被包装が隠されないからである。
【考案の効果】
【００１８】
図１：緩衝クリア包装枠の使用例図の下部に示した本考案の緩衝クリア包装枠の使用例写真で見るように、左右両翼を持ち正面に凹をなす中板の中央に開いた窓穴内に収まっていて下支え台板も見えないのに被包装物４が透明フィルムによって宙づりになっているのが観察できる。これが［００１２］文段での要求に応えている証となる。
【００１９】
図上部のケースは下部にある緩衝クリア包装枠全体を納める天井の付いたポリプロピレンフィルム材からなる５面透明な鞘状外殻函１３すなわち外箱である。本考案によって、被包装物を数えなければ、２部品で包装が完結できる。これで［００１１］の条件に十分応えているものと判定できよう。
【００２０】
この図１は、荷である被包装物４が透明フイルムで宙づりになっていることから［００１０］文段での耐緩衝機能を充足していることが判明するも、正確には５面透明な鞘状外殻函１３である外箱とのサイズや強度などに左右されるので、一応達成できたとして置こう。
【考案を実施するための最良の形態】
【００２１】
外箱とのサイズなどで望ましい形状的条件を緩衝クリア包装枠で観てみる。図１の下部に縦に示したＡ−Ａ縦断線で切断したものをＢ矢視方向から観たのが、図２：緩衝クリア包装枠の使用例図縦断図である。これは宙づり包装の最良実施モデルでもある。
【００２２】
本考案は、大きく分けて二つの部品で構成される。
その１は、緩衝クリア包装枠２０であり、図３：緩衝クリア包装枠の外殻函装着説明図にみるように、この組み立て品はこの形状のままでは搬送するのに向かない。このため、この緩衝クリア包装枠２０を保護する外箱が要る。
【００２３】
その２の外箱は、図３上段において緩衝クリア包装枠２０をその長手方向でもある矢印Ｃ方向に挿入収納できる底のない鞘状外殻函１１であって全体または一部が透明なことが望ましいものの２点鎖線で示した窓穴１２を設ければ不透明板材製であっても構わない。最も望ましいのは天井または底の付いた５面透明な鞘状外殻函１３で有り、これは図１に示したものである。
【００２４】
また、図３に画いた緩衝クリア包装枠２０の下段に示したように緩衝クリア包装枠２０の四周を囲める枠状外殻函１４に納めさらにその上下を透明シュリンクチューブ１５で覆い熱収縮させる事例もある。
【００２５】
鞘状または枠状の外殻は、本考案の緩衝クリア包装枠２０の被包装物４の包装時の宙づり状態を維持し、緩衝クリア包装枠２０の歪み発生を防止し、直接外力による変形を避ける為に必至ではあるが、考案の主旨には影響しない。
【００２６】
ここで、図２：緩衝クリア包装枠の使用例図縦断図に戻り、これが宙づり包装の最良実施モデルでもあることを理解して頂きたい。緩衝クリア包装枠の構造的詳細は後述文段で図４・図５・図６と記述するが、ここでは機能達成要因を先に説明する。図２の左手が図１の正面であり、右手が裏側となる。図１下段写真の左右の板は図２では上腰板２８であり、被包装品４は緩衝クリア包装枠２０のハッチ線入りで示したＣ形軽量形綱状縦断面中央に設けた穴のほぼ中央にポリウレタンフィルム折り畳み品３０の中に収まり宙づり状態になっており、このポリウレタンフィルム両端部は上下とも緩衝クリア包装枠２０の裏面で接着テープ３８で固定されている。その裏面は図１では見えないが、図１の写真には表面側を向いた接着面部板材が窓内に写り、ポリウレタンフィルム折り畳み品３０の透明性を証明している一方、被包装品４の宙づり状態は完全で有り、かつ、フィルム以外に支持物が存在しないことも明示している。
【００２７】
図２：緩衝クリア包装枠の使用例図縦断図が示していることは、被包装品４の宙づり状態は、二つ折りにされたポリウレタンフィルム折り畳み品３０がなす２フィルム間に挿入された被包装品４による各フィルムの表裏方向、図２では左右方向へのフイルムの展伸に伴うフィルム自体の抗張力が緩衝クリア包装枠２０の中央に支持し、その抗張力が緩衝クリア包装枠２０の縦置きや横置きなどの姿勢に拘わらず被包装品４をほぼ中央に保持するものである。さらに本考案の主目的に合うよう選択した表面摩擦係数の高さ即ち極めて滑りにくい材料としてのポリウレタンフィルムの特性も、図１と図２に示した縦置きでも被包装品４のための支持台不要を確実なものにしている。
【実施例１】
【００２８】
この本考案の実施例を図４：緩衝クリア包装枠の展開図で説明したい。緩衝クリア包装枠２０は紙板材からなる枠材にポリウレタンフィルム折り畳み品３０を接着して構成するものであり、この構成を図４では上段にポリウレタンフィルム材を置き、下段にそのポリウレタンフィルム折り畳み品を左側に接着後反転させた形の紙板材からなる枠材の展開図であって、この展開図の右端には接合後のポリウレタンフィルム折り畳み品３０を細い仮想線で図示して有る。
【００２９】
図４上段に配置したポリウレタンフィルム折り畳み品３０より説明する。ポリウレタンフィルムを梯形に切断したシートを図４で、角Ｅ−Ｆからなる底辺３２、角Ｇ−Ｈからなる上辺３３、角Ｆ−Ｇからなる右斜辺３１、角Ｅ−Ｈからなる左斜辺３１の４辺で構成され、全体としての形は仮想線の展開部分と実線の折り畳み表示部分とで示している。
【００３０】
底辺３２・上辺３３・両斜辺３１の４辺からなる梯形状のポリウレタンフィルムシートはその上辺３３中央部に見出しラベル状の引き手３７を予かじめ接着して置いても良いので、図４には図示してあるが必需品ではない。斜辺３１中央よりも上辺に近い位置である梯形ポリウレタンフィルム折り畳み位置で、上辺３３を底辺３２の上に折り重ねる。これを梯形ポリウレタンフィルムの上辺右角折り畳み方向Ｊとして示した。
【００３１】
こうすると、折りたたまれたポリウレタンフィルムは折り畳み前の斜辺３１の半分よりやや大きい折り畳み後の底辺側左右斜辺３６の高さの梯形となり、その上に折り畳み前の斜辺３１の半分よりやや小さい折り畳み後の上辺側左右斜辺３５の高さの梯形が重なる形となる。この状態で、展開した緩衝クリア包装枠材の上に載せ左右両端を接着テープ３８で接合する。これを２本の細い縦仮想線が示している。
【００３２】
折り畳み前のポリウレタンフィルムを本考案では梯形としているが、要は折り畳み後の左右両端が粘着テープなどで枠材表面に接合できればよいのであって、梯形にこだわる必然性はないものの、本考案が梯形としているのは、切断コストがフイルムシートからの切断でもフイルムロール材からの切断でも最も低コストで自動化できるからである。また、接着テープ３８も、両面接着テープであっても、熱圧着であっても端部を枠材に接合できれば良いと理解頂きたい。
【００３３】
図４下段に配置した展開図で紙板材からなる枠材の全体が、中板２１の中央に中窓２２を設けその長手方向の左右両側共に外腰折り目２３・下腰板２４・外脚折り目２５・下脚板２６を配し、長手の直角方向図では上下両方向に内腰折り目２７を介した上腰板２８を持つよう構成されていることを図示している。これの外腰折り目２３・下腰板２４・外脚折り目２５・下脚板２６が折り目が外になるように折るとき中板２１の下部に脚脚を形成し内腰折り目２７を介した上腰板２８が中板２１の両翼に並列に立つことは、図３で看ているので、ここでは付記しない。
【００３４】
この展開図の左端には、左端を接着テープ３８で接合後のポリウレタンフィルム折り畳み品３０を左側に反転させて図示しているが、これを［００３１］末尾に述べたように接合すると、紙板材からなる枠材上に細い仮想線で示したようにポリウレタンフィルム折り畳み品３０は位置する。このためには左端に示したポリウレタンフィルムの角Ｇと角Ｆの合致方向を二つの仮想線円弧の折畳前梯形フィルムの底辺右角の中板右端への貼り付け方向Ｋと折畳前梯形フィルムの上辺右角の中板右端への貼り付け方向Ｌで図示した。
【００３５】
図４の展開図で示した緩衝クリア包装枠２０は通常平らなままで保管されるが、包装直前に使用に適する形に組み立てられるが、これらは図３に示されている。念のためにその組み上げ時の形状を上から見たものを図５：緩衝クリア包装枠表斜視図として、裏返して上から見たものを図６：緩衝クリア包装枠裏斜視図として添えた。
【００３６】
この図５と図６の形状にすることで、緩衝クリア包装枠２０の中板２１の中窓２２が、１）  包装時包装後いつも容器の中心に位置できるよう下腰板２４と上腰板２８が働く。２）  ポリウレタンフィルム折り畳み品３０が包装時後に生ずる大きな張力で長手方向に撓むことを内腰折り目２７で直角に内側に折られた両側枚の上腰板２８が防止している。３）  全体として発生する歪み捻れを長手方向の下腰板２４と下脚板２６が防いでいる。と機能していることが理解できる。
【００３７】
また、前段［００２２］で「この組み立て品はこの形状のままでは搬送するのに向かない。このため、この緩衝クリア包装枠２０を保護する外箱が要る。」とし、前段［００２５］で「鞘状または枠状の外殻は、本考案の緩衝クリア包装枠２０の被包装物４の包装時の宙づり状態を維持し、緩衝クリア包装枠２０の歪み発生を防止し、直接外力による変形を避ける為に必至ではある」と記述した理由も理解される。
【００３８】
図４・図５・図６に図示した構成ゆえに外箱と一体になり、［００１０］［００１１］［００１２］各文段所期の課題を解決できる。また、強度的には図２の左右余白間隔が無くなるのは横向き外力加速度が１０Ｇに設定すれば実用上耐衝撃には問題ないとされている。
【実施例２】
【００３９】
しかし、包装後搬送時に与えられる他包装函コーナなどの突起物衝突などを図２の正面より受けた際には、被包装品４に損傷を受けやすい。外箱になる外殻函１１・１３などを厚い材料で作れば済むのだが、透明材で厚物というと搬送やコスト的に問題が生ずる。これに対処するには、緩衝クリア包装枠組立品２０の正面側に外殻函１１・１３の正面サイドを補強できるようにすればよい。  その１例を図７：緩衝クリア包装枠補強例斜視図で説明する。実施例１で記述した包装枠の板材を下記のように多少変更する。
【００４０】
（１）上腰板２８を長手方向の両側に、上腰板折り目２９Ｌをつけその先に得腰板ダンパーとする。この伸ばし代は中板２１横幅以下に押さえる。これにより、外殻函正面からの外衝撃力を中板２１に依って緩和できる。
【００４１】
（２）中板２１に設けた中窓２２の内側に板ダンパーを設ける。図７では点線で示した中窓内短ダンパー２２１と中窓内長ダンパー２２２がそれである。それぞれ１対となり、被包装品４がポリウレタンフィルム折り畳み品３０ごとに中窓内周辺方向への衝撃力を緩和できる。
【産業上の利用可能性】
【００４２】
〔１〕搬送時に十分な緩衝力を生む包装となり、
〔２〕搬送仕分け店頭展示などいつでも搬送品を外部から確認できる包装であり、
〔３〕中窓２２サイズ内に収まるなら半ば汎用性のある包装となり、
〔４〕商品陳列にも転用できる包装で、
〔５〕構成部品も少ないため材料コストも処理工数も経済的な包装でありながら、
〔６〕不燃廃棄物を生まない環境に優しい包装と言える。
【図面の簡単な説明】
【００４３】
【図１】緩衝クリア包装枠の使用例図
【図２】緩衝クリア包装枠の使用例図縦断図
【図３】緩衝クリア包装枠の外殻函装着説明図
【図４】緩衝クリア包装枠の展開図
【図５】緩衝クリア包装枠表斜視図
【図６】緩衝クリア包装枠裏斜視図
【図７】緩衝クリア包装枠補強例斜視図
【符号の説明】
【００４４】
１１    鞘状外殻函例
１２    窓穴
１３    ５面透明な鞘状外殻函
１４    枠状外殻函
１５    透明シュリンクチューブ
２０    緩衝クリア包装枠組立品
２１    中板
２２    中窓
２２１  中窓内短ダンパー
２２２  中窓内長ダンパー
２３    外腰折り目
２４    下腰板
２５    外脚折り目
２６    下脚板
２７    内腰折り目
２８    上腰板
２９    上腰板ダンパー
２９Ｌ  上腰板折り目
３０    ポリウレタンフィルム折り畳み品
３１    梯形ポリウレタンフィルム左右斜辺
３２    梯形ポリウレタンフィルム底辺
３３    梯形ポリウレタンフィルム上辺
３４    梯形ポリウレタンフィルム折り畳み位置
３５    梯形ポリウレタンフィルム折り畳み後の上辺側左右斜辺
３６    梯形ポリウレタンフィルム折り畳み後の底辺側左右斜辺
３７    ポリウレタンフィルム引き手
３８    接着テープ
Ａ      緩衝クリア包装枠縦断位置
Ｂ      縦断図矢視方向
Ｃ      緩衝クリア包装枠の鞘状外殻函への挿入方向
Ｄ      緩衝クリア包装枠の枠状外殻函への挿入方向
Ｅ      梯形ポリウレタンフィルムの上辺左角
Ｆ      梯形ポリウレタンフィルムの上辺右角
Ｇ      梯形ポリウレタンフィルムの上辺左角
Ｈ      梯形ポリウレタンフィルムの底辺右角
Ｊ      梯形ポリウレタンフィルムの上辺右角折り畳み方向
Ｋ      折畳前梯形フィルムの底辺右角の中板右端への貼り付け方向
Ｌ      折畳前梯形フィルムの上辺右角の中板右端への貼り付け方向
【図２】
0003103829.tif 000003
【図３】
0003103829.tif 000004
【図４】
0003103829.tif 000005
【図５】
0003103829.tif 000006
【図６】
0003103829.tif 000007
【図７】
0003103829.tif 000008
【図１】
0003103829.tif 000009